(57)【要約】【課題】  クランクシャフトのラジアル軸受の軸受損傷・損失増大を防止することができる密閉型圧縮機、及び、この圧縮機を搭載した冷蔵庫を提供する【解決手段】  潤滑油を溜めた密閉容器と、潤滑油を供給する下部連通穴を下側軸支部に有するクランクシャフトと、クランクシャフトを軸支するラジアル軸受と、を有し、クランクシャフトは、下側軸支部から、第一の方向に向かって回旋するスパイラル溝を有し、クランクシャフト若しくはラジアル軸受は、下部連通穴の近傍から、スパイラル溝から離れる方向である第二の方向に向かって延在する微細給油溝を備える密閉型圧縮機。【選択図】  図４
2015007378.tif 000002
【特許請求の範囲】
【請求項１】
潤滑油を溜めた密閉容器と、
前記潤滑油を供給する下部連通穴を下側軸支部に有するクランクシャフトと、
前記クランクシャフトを軸支するラジアル軸受と、を有する密閉型圧縮機であって、
前記クランクシャフトは、前記下側軸支部から、第一の方向に向かって回旋するスパイラル溝を有し、
前記クランクシャフト若しくは前記ラジアル軸受は、前記下部連通穴の近傍から、前記スパイラル溝から離れる方向である第二の方向に向かって延在する微細給油溝を備えることを特徴とする密閉型圧縮機。
【請求項２】
前記スパイラル溝を、前記下側軸支部から第一の方向に向かって、前記密閉型圧縮機の運転時における前記クランクシャフトの回転方向とは逆向きの回旋方向に設け、
前記微細給油溝を、前記下部連通穴の近傍から前記第二の方向に向かって、前記密閉型圧縮機の運転時における前記クランクシャフトの回転方向とは逆向きの回旋方向に回旋して設けることを特徴とする請求項１に記載の密閉型圧縮機。
【請求項３】
前記微細給油溝を、前記ラジアル軸受の前記第二の方向側の端部位置より第一の方向側に設けることを特徴とする請求項１又は２に記載の密閉型圧縮機。
【請求項４】
前記微細給油溝の断面積が前記スパイラル溝の断面積よりも小さいことを特徴とする請求項１乃至３の何れか一項に記載の密閉型圧縮機。
【請求項５】
請求項１乃至４の何れか一項に記載された密閉型圧縮機を備えることを特徴とする冷蔵庫。
【発明の詳細な説明】
【技術分野】
【０００１】
本発明は、密閉型圧縮機およびこれを備える冷蔵庫に関する。
【背景技術】
【０００２】
関連する密閉型圧縮機として例えば特開２０１２−１９７７６６号公報に示されたものが知られている。この密閉型圧縮機はピストンとクランクシャフトを備えたレシプロ圧縮機であり、電動要素の上に圧縮要素を配置した構成となっている。中空のクランクシャフトに回転子を嵌合する際の変形が摺動部に悪影響をおよぼさないよう、変形緩和手段を設けたことを特徴としている。
【０００３】
また、関連する密閉型圧縮機として例えば特開２０１０−２８１２９９号公報に示されたものが知られている。この密閉型圧縮機はスラスト転がり軸受を備えたもので、クランクシャフトの軸心とシリンダの軸心がなす角度が９０度以上になるようにクランクシャフト軸受部とシリンダが配置している。これは、運転時における圧縮荷重によって傾くシャフトに伴って傾くピストンとシリンダ内面とのかじりを防止することを目的とした構造である。
【先行技術文献】
【特許文献】
【０００４】
【特許文献１】特開２０１２−１９７７６６号公報
【特許文献２】特開２０１０−２８１２９９号公報
【発明の概要】
【発明が解決しようとする課題】
【０００５】
しかしながら特許文献１、特許文献２に記載された構造を適用した場合、次のような課題がある。
【０００６】
特許文献１、２に記載された構造のレシプロ圧縮機は、クランクシャフトに加わるラジアル方向の荷重を、クランクシャフト表面に設けられた上摺動部と下摺動部の２か所で軸支する、片持ちの軸受構造となっている。上摺動部と下摺動部の間は直径が上摺動部や下摺動部よりも小さくなっている。クランクシャフト表面には摺動面に潤滑油を供給するためのスパイラル溝が設けられている。スパイラル溝は下摺動部から上摺動部にかけて形成されており、圧縮機運転中にはスパイラル溝内を潤滑油が上昇するような形状となっている。
【０００７】
クランクシャフトの偏心部には、ピストンが下死点から上死点へと移動する圧縮過程で大きな圧縮荷重が加わる。片持ち軸受構造の場合、クランクシャフトはこの圧縮荷重によって、クランクシャフトを軸支するラジアル軸受内を傾斜を伴って回転運動する。すなわち、クランクシャフトの軸心は、圧縮荷重によって押されることでラジアル軸受の軸心に対して角度を持つこととなる。クランクシャフトの軸心が傾斜した場合、軸受負荷能力の減少によって軸受部の潤滑状態が悪化し片当りが発生しやすくなる。特に下摺動部の下端側には潤滑油が給油されにくいため、軸受部の摩擦損失の増大や信頼性の低下へとつながる恐れがある。
【０００８】
以上に述べた現象は、特に軸受部の油膜形成が困難になる圧縮機の低速運転時や、潤滑油粘度が低い場合に顕著となる。特に近年、冷蔵庫に用いられる圧縮機においては消費電力量の低減を目的に、圧縮機の低速運転化・潤滑油の低粘度化が進められており、以上に述べた現象が無視できない状況となっている。
【０００９】
上記課題を解決するために、本発明の目的の一つは、クランクシャフトのラジアル軸受の軸受損傷・損失増大を防止することができる密閉型圧縮機を提供することにある。また、該圧縮機を冷蔵庫に搭載することで、消費電力量が少なく信頼性の高い冷蔵庫を提供することにある。
【課題を解決するための手段】
【００１０】
上記目的を達成するための本発明は、潤滑油を溜めた密閉容器と、前記潤滑油を供給する下部連通穴を下側軸支部に有するクランクシャフトと、前記クランクシャフトを軸支するラジアル軸受と、を有する密閉型圧縮機であって、前記クランクシャフトは、前記下側軸支部から、第一の方向に向かって回旋するスパイラル溝を有し、前記クランクシャフト若しくは前記ラジアル軸受は、前記下部連通穴の近傍から、前記スパイラル溝から離れる方向である第二の方向に向かって延在する微細給油溝を備えることを特徴とする密閉型圧縮機である。
【発明の効果】
【００１１】
本発明によれば、クランクシャフトによるラジアル軸受の軸受損傷・損失増大を防止することができる。さらに、当該圧縮機を冷蔵庫に搭載すれば、消費電力量が少なく信頼性の高い冷蔵庫を提供することができる。
【図面の簡単な説明】
【００１２】
【図１】第一の実施形態の密閉型圧縮機の縦断面図
【図２】図１の密閉型圧縮機の組立斜視図
【図３】各実施形態の密閉型圧縮機が搭載された冷蔵庫の縦断面図
【図４】第一の実施形態のクランクシャフトの側面図
【図５】図４のクランクシャフトの断面図
【図６】関連構造のクランクシャフトまわりの略断面図
【図７】図４のクランクシャフトの微細給油溝まわりの要所拡大図
【図８】第二の実施形態のシリンダおよびラジアル軸受部を構成する部品の断面図
【発明を実施するための形態】
【００１３】
以下、本発明の実施形態について図１〜８を用いて説明する。各実施形態の図において、同様の構成には同様の符号を付し、重複する説明は省略する。
【００１４】
本実施形態における方向、例えば上下左右の方向は、説明の便利のために例えば図面方向に準じて記載することがあるが、これは各実施形態における構成の設置方向や動作方向等を制限するものではなく、例えば上下左右方向をそれぞれ、重力加速度の方向、重力加速度と反対の方向、重力加速度と垂直な方向、とすることを必ずしも排除しない。
【００１５】
また、本実施形態における「近傍」とは、下部連通穴が微細給油溝に取り囲まれている構成、下部連通穴が微細給油溝の端部に設けられている構成、及び／又は下部連通穴と微細給油溝の少なくとも一部とがクランクシャフトの直径方向において互いに近接した位置関係であること、を含むものとして用いる。
【００１６】
［第一の実施形態］
本発明の第一の実施形態について図１〜７を用いて説明する。
【００１７】
まず、本実施形態の密閉型圧縮機５０について図１を参照しながら説明する。図１は本実施形態の密閉型圧縮機５０の縦断面図である。
【００１８】
本実施形態の密閉型圧縮機５０は、圧縮要素２０と電動要素３０とを密閉容器３内に上下に配置すると共にクランクシャフト７で連結したレシプロ圧縮機である。圧縮要素２０及び電動要素３０は密閉容器３内に弾性的に支持されている。潤滑油３５は密閉容器３内に封入されている。ここで潤滑油３５の動粘度については、例えば軸受部の摩擦損失の抑制やピストンとシリンダとのシールが実現できれば特に制限されないが、例えば４０℃の動粘度を１０ｍｍ2/ｓ以下、好ましくは８ｍｍ2/ｓ以下とすることができる。
【００１９】
電動要素３０は、フレーム１ｂの下方に配置され、ステータ５及びロータ６を備えている。ステータ５はフレーム１に固定され、ロータ６はクランクシャフト７に固定されている。クランクシャフト７の上端部には回転中心から偏心したクランクピン７ａが設けられている。
【００２０】
クランクシャフト７はラジアル軸受部１ａを貫通して設置されており、クランクピン７ａがフレーム１の上方側に位置するように設けられている。クランクシャフト７の下部はロータ６と結合しており、電動要素３０の動力によりクランクシャフト７が回転する。クランクシャフト７が回転するとクランクピン７ａが偏心回転し、ピストン４が往復動する構成となっている。クランクシャフト７はフランジ部７ｈを有しており、フランジ部７ｈとラジアル軸受部１ａとの間にはスラスト方向の荷重を軸支する転がり軸受４１が設けられている。
【００２１】
圧縮要素２０はシリンダ室を形成するシリンダ１とシリンダ室内を往復動するピストン４と、このピストン４を駆動するコネクティングロッド２と、シリンダ１端面に組み立てられる吐出弁装置４０と、吐出室空間を形成するヘッドカバー１７と、を備えている。シリンダ１はラジアル軸受部１ａ及びフレーム１bを一体に成形している。ピストン４は、コネクティングロッド２を介してクランクピン７ａに連結され、クランクピン7ａの偏心回転によりシリンダ室内を往復運動する。
【００２２】
シリンダ１内に供給された冷媒はピストン４の往復動によって圧縮され、圧縮されたガス冷媒は、圧縮機外部に連通する吐出管へと送られる。
【００２３】
図２はシリンダ１の端面に取り付けられる各部品の斜視図である。シリンダ１の端面にはトップパッキン２２、吸入弁板９、バルブプレート１０、パッキン１６、ヘッドカバー１７、吸入サイレンサパッキン２３a、吸入サイレンサ２３、吸入サイレンサ固定部材２３ｂの順に配置される。
【００２４】
次に、密閉型圧縮機５０を搭載した冷蔵庫６０について図３を参照しながら説明する。図３は本実施形態の密閉型圧縮機５０が搭載された冷蔵庫６０の縦断面図である。冷蔵庫６０は、密閉型圧縮機５０の他に、例えば冷蔵室６２、上段冷凍室６３、下段冷凍室６４、野菜室６５により構成される。なお、密閉型圧縮機５０及び冷蔵室６２、上段冷凍室６３、下段冷凍室６４、野菜室６５の位置関係は図３の限りではなく、また、その他の貯蔵室を含んでも良いし、いずれかの貯蔵室を含まなくても良い。
【００２５】
密閉型圧縮機５０から吐出された冷媒は、冷蔵庫６０内に設けられた凝縮器、減圧機構を通過し、冷却器６６で冷蔵庫内の熱を吸収して、再び圧縮機内へと戻される。この密閉型圧縮機５０、凝縮器、減圧機構及び冷却器６６からなる冷凍サイクルには、例えばプロパンやイソブタンなどの炭化水素系の冷媒が使用されている。
【００２６】
次に図１、図４、図５を用いて密閉型圧縮機５０のクランクシャフト７の構造について説明する。図４はクランクシャフト７の側面図、図５はクランクシャフト７の断面図である。クランクシャフト７には軸中央部に周囲よりも軸径が小さい小径部７ｉが設けられている。小径部７ｉとラジアル軸受部１ａの隙間には圧縮機の運転中、潤滑油３５がスパイラル溝７ｄを通じて導入されるが、隙間が大きいために大きな油膜圧力は発生しない。そのため、クランクシャフト７に加わるラジアル方向の荷重は、小径部７ｉの両端部に設けられた上側軸支部７ｍ、下側軸支部７nにて軸支される。上側軸支部７mおよび下側軸支部７nとラジアル軸受部１ａの隙間は例えば数μｍ〜数十μｍであり、クランクシャフト７にラジアル荷重が加わると油膜圧力が発生するよう設計されている。
【００２７】
次に図１、図４、図５、図６、図７を用いて密閉型圧縮機５０のクランクシャフト７の給油構造について説明する。図６は関連構造におけるクランクシャフトまわりの略断面図、図７は本実施形態におけるクランクシャフト７の下側軸支部７ｎの拡大図である。ロータ６の回転に伴いクランクシャフト７が回転すると、中繰り穴７ｂ内の潤滑油３５には遠心力が加わり、潤滑油３５はクランクシャフト７の下端に設けられた中繰り穴７ｂ内を上昇し、さらには下側軸支部７ｎに設けた下部連通穴７ｃへと運ばれる。下部連通穴７ｃへと到達した潤滑油３５は図４に示されるスパイラル溝７ｄへと導入される。スパイラル溝７ｄの壁面と、ラジアル軸受部１ａの壁面とで形成される潤滑油通路においては、クランクシャフト７の回転による壁面移動に伴い、潤滑油３５が粘性の効果で壁面に引きずられスパイラル溝７ｄ内を上昇する。この時、同時に潤滑油３５はラジアル軸受部１ａを潤滑することになる。
【００２８】
ここで下部連通穴７ｃは、ラジアル軸受部下端１ｃとロータ６との隙間から潤滑油３５の漏出を抑制するよう、ラジアル軸受部下端１ｃより第一の方向側（図中、上方）に位置している。そのため、図６に示したような関連構造では、下側軸支部７nにおいて下部連通穴７cよりも第二の方向側（図中、下方）に存在する領域である下側軸支部下端領域７ｑには、潤滑油３５が十分に行き届きにくいという課題があった。さらに下側軸支部７nにはスパイラル溝７ｄが形成されている。そのため、下側軸支部７nとラジアル軸受部１aの隙間に存在する潤滑油３５は、クランクシャフト７の回転に伴って第一の方向へと輸送される力を受ける。すると下側軸支部下端領域７ｑ付近は潤滑油３５が枯渇した状況になりやすくなり、軸受部の摩擦損失の増大や信頼性の低下へとつながる恐れが生じる。
【００２９】
そこで本実施形態では、図４、図７に示すように下部連通穴７ｃの近傍に微細給油溝７ｐを設けている。下部連通穴７ｃは、微細給油溝７ｐの第一の方向（図中、上方）側の端部位置、第二の方向（図中、下方）側の端部位置、及び中間位置のいずれに設けてもよく、例示している図の位置関係に限られない。
【００３０】
微細給油溝７ｐは、好ましくは複数本設けられる。微細給油溝７ｐは潤滑油３５の一部を、クランクシャフト７の回転に伴ってスパイラル溝から離れる方向である第二の方向へ輸送する向きに設けられている。
【００３１】
スパイラル溝７ｄは，下側軸支部７ｎから第一の方向に向かって、運転時におけるクランクシャフト７の回転方向とは逆向きに回旋して設けられている。また、微細給油溝７ｐは下部連通穴７ｃの近傍から第二の方向に向かって延在しており、真っ直ぐに設けられても良く、好ましくは下部連通穴７ｃの近傍から第二の方向に向かって、運転時におけるクランクシャフト７の回転方向とは逆向きに回旋して設けられている（例えば、図７を参照されたい。）。このため，下部連通穴７ｃを介して供給される潤滑油３５は、一部が第一の方向，一部が第二の方向に向かって輸送される。
【００３２】
すなわち図７に示すように、下部連通穴７ｃにより供給される潤滑油３５の内、スパイラル溝７ｄ内に供給された一部は、潤滑油３５は粘性の効果で第一の方向へと輸送される。また、下部連通穴７ｃにより供給される潤滑油３５の内、微細給油溝７ｐに供給された一部は、第二の方向へと輸送される。そのため、下側軸支部７nの下端付近に十分な量の潤滑油３５を供給することが可能であり、軸受部の摩擦損失の増大や信頼性の低下を防止することができる。
【００３３】
本実施形態では、微細給油溝７ｐはクランクシャフト表面に設けられているが、潤滑油３５を輸送できればその位置に制限はなく、例えば、ラジアル軸受部１ａの内径面に設けても良い。
【００３４】
スパイラル溝７ｄ内を上昇しスパイラル溝上端７ｊに達した潤滑油３５は、再びクランクシャフト７の回転に伴う遠心力によって図５に示す上部連通穴７ｅを通り抜け、ピン部中繰り７ｆへと搬送される。ピン部中繰り７ｆにはピン部下連通穴７gが設けられており、ピン部下連通穴７gに達した潤滑油３５は図１に示すように、コネクティングロッド連通穴２ａを通じてコネクティングロッド２とピストン４との摺動部を潤滑する構造になっている。
【００３５】
また、ピン部中繰り７ｆに到達した潤滑油３５の一部はさらに遠心力によって上昇し、ピン部上連通穴７ｋおよびクランクシャフト７上端のピン部中繰り７ｆ開放端から飛散する。飛散した潤滑油３５の一部はピストン摺動面へと降りかかることでピストンとシリンダ間を潤滑する。また、シリンダ上面へ飛散した潤滑油３５は、シリンダ上面に設けられた傾斜に従いピストン４側へ滴下し、ピストンとシリンダ間の潤滑に用いられる。
【００３６】
このように、スパイラル溝７ｄ内を通過する潤滑油３５は、ラジアル軸受部１ａの潤滑だけではなく、クランクピン７ａやピストン４の摺動部の潤滑も行う。そのため、スパイラル溝７ｄから微細給油溝７ｐへ分岐して輸送される潤滑油量が多いと、クランクピン７ａやピストン４への給油量が減少し、摺動部の摩擦損失増大や信頼性の低下へとつながる恐れが生じるため、各方向に輸送される潤滑油量のバランスを考慮して微細給油溝７ｐの断面積を、スパイラル溝７ｄの断面積よりも小さくすると好ましい。微細給油溝７ｐとスパイラル溝７ｄの断面積は、それぞれ微細給油溝７ｐとスパイラル溝７ｄの溝深さ及び溝幅の積で求められる。本実施形態においては、断面積を調整するため、微細給油溝７ｐの溝深さを１０μｍとしており、スパイラル溝７ｄの深さを１ｍｍとしているが、これに限られず設計者の所望のバランスとなるように設定することができる。
このため、スパイラル溝７ｄに供給される潤滑油３５の大半はスパイラル溝７ｄ上方へと運搬され、微細給油溝７ｐへ分岐して流れる潤滑油量は限定される。
【００３７】
微細給油溝７ｐの下端位置はラジアル軸受部下端１cよりも第一の方向側に位置している。すると、ラジアル軸受部下端１ｃとロータ６との隙間空間と、微細給油溝７ｐ内とが直接連通することがないため、微細給油溝７ｐ内へと流入した潤滑油３５が大量に流失することがない。すなわち、本実施形態によればクランクピン７ａやピストン４への給油量を確保しつつ、下側軸支部下端領域７ｑへの給油も可能となり、各摺動部での摩擦損失増大を防止することができる。
【００３８】
よって本実施形態によればクランクシャフト７の軸受部の損傷・損失増大を防止することができる。さらに、当該圧縮機を冷蔵庫に搭載すれば、消費電力量が少なく信頼性の高い冷蔵庫を提供することができる。
【００３９】
［第二の実施形態］
次に本発明の第二の実施形態について図６、図８を用いて説明する。ただし、第一の実施形態と同様の説明は省略する。図８はシリンダ１およびラジアル軸受部１ａを構成する部品の断面図である。ラジアル軸受部１ａの内径面には、第一の実施形態における微細給油溝７ｐに代えてフレーム側微細給油溝（微細給油溝）１eが、下側軸支部７ｎに対応する位置（クランクシャフト７を設置したときに下側軸支部７ｎと対向する位置）に設けられており、好ましくは複数本設けられている。即ち、フレーム側微細給油溝１ｅは下部連通穴７ｃの近傍（クランクシャフト７を設置したときに、クランクシャフト７の回転角によっては下部連通穴７ｃと対向する位置）に設けられており、フレーム側微細給油溝１eは下部連通穴７ｃを介して供給された潤滑油３５の一部を、クランクシャフト７の回転に伴って下側軸支部７ｎの第二の方向（図中、下方）へ輸送する向きに設けられている。また、第一実施形態の微細給油溝７ｐと同様、フレーム側微細給油溝１eの断面積はスパイラル溝７ｄの断面積よりも小さく形成されており、その下端位置はラジアル軸受部下端１ｃよりも第一の方向側（図中、上方）に位置している。すると第一の実施形態と同様の理由で、スパイラル溝７ｄ内の潤滑油３５の一部を、フレーム側微細給油溝１eにより下側軸支部７ｎの下端付近に供給することが可能となる。よって本実施形態によれば、第一の実施形態と同様の効果を得ることができる。クランクピン７ａやピストン４への給油量を確保しつつ、図６に示した下側軸支部下端領域７ｑへの給油も可能となり、各摺動部での摩擦損失増大を防止することができる。さらに、当該圧縮機を冷蔵庫に搭載すれば、消費電力量が少なく信頼性の高い冷蔵庫を提供することができる。
【００４０】
本発明は、以下の態様を包含する。
【００４１】
第一に、潤滑油を溜めた密閉容器と、前記潤滑油を供給する下部連通穴を下側軸支部に有するクランクシャフトと、前記クランクシャフトを軸支するラジアル軸受と、を有する密閉型圧縮機であって、前記クランクシャフトは、前記下側軸支部から、第一の方向に向かって回旋するスパイラル溝を有し、前記クランクシャフト若しくは前記ラジアル軸受は、前記下部連通穴の近傍から、前記スパイラル溝から離れる方向である第二の方向に向かって延在する微細給油溝を備えることを特徴とする。
【００４２】
これにより、クランクシャフトのラジアル軸受の軸受損傷・損失増大を防止することができる密閉型圧縮機を提供できる。
【００４３】
第二に、前記第一の構成に、さらに、前記スパイラル溝を、前記下側軸支部から第一の方向に向かって、前記密閉型圧縮機の運転時における前記クランクシャフトの回転方向とは逆向きの回旋方向に設け、前記微細給油溝を、前記下部連通穴の近傍から前記第二の方向に向かって、前記密閉型圧縮機の運転時における前記クランクシャフトの回転方向とは逆向きの回旋方向に回旋して設けることを特徴とする。
【００４４】
これにより、第一の構成と同様の効果を奏する。
【００４５】
第三に、前記第一又は第二の構成に、さらに、前記微細給油溝を、前記ラジアル軸受の前記第二の方向側の端部位置より第一の方向側に設けることを特徴とする。
【００４６】
これにより、第一又は第二の構成と同様の効果を奏し、さらに、クランクピンやピストンへの給油量を確保しつつ、下側軸支部下端領域への給油も可能となり、各摺動部での摩擦損失増大を防止することができる。
【００４７】
第四に、前記第一乃至第三の構成に、さらに、前記微細給油溝の断面積が前記スパイラル溝の断面積よりも小さいことを特徴とする。
【００４８】
これにより、第一乃至第三の構成と同様の効果を奏する。さらに、微細給油溝及びスパイラル溝による潤滑油の輸送バランスを好ましく調整可能である。
【００４９】
第五に、前記第一乃至第四の構成の何れかに記載された密閉型圧縮機を備えることを特徴とする冷蔵庫。
【００５０】
これにより、消費電力量が少なく信頼性の高い冷蔵庫を提供できる。
【符号の説明】
【００５１】
１…シリンダ、１ａ…ラジアル軸受部、１b…フレーム、１c…ラジアル軸受部下端、１e…フレーム側微細給油溝、２…コネクティングロッド、２a…コネクティングロッド連通穴、３…密閉容器、４…ピストン、５…ステータ、６…ロータ、７…クランクシャフト、７ａ…クランクピン、７b…中繰り穴、７c…下部連通穴、７d…スパイラル溝、７e…上部連通穴、７f…ピン部中繰り、７g…ピン部下連通穴、７h…フランジ部、７i…小径部、７j…スパイラル溝上端、７k…ピン部上連通穴、７ｍ…上側軸支部、７n…下側軸支部、７p…微細給油溝、７q…下側軸支部下端領域、９…吸入弁板、１０…バルブプレート、１６…パッキン、１７…ヘッドカバー、２０…圧縮要素、２１…給油ピース、２２…トップパッキン、２３…吸入サイレンサ、２３a…吸入サイレンサパッキン、２３b…吸入サイレンサ固定部材、２５…バランスウェイト、３０…電動要素、３５…潤滑油、４０…吐出弁装置、４１…転がり軸受、４１a…上レース、４１b…下レース、４１c…保持器、４１d…転動体、４２…調心支持部材、５０…密閉型圧縮機、６０…冷蔵庫、６１…冷蔵庫本体、６２…冷蔵室、６３…上段冷凍室、６４…下段冷凍室、６５…野菜室、６６…冷却器
【図１】
2015007378.tif 000003
【図２】
2015007378.tif 000004
【図３】
2015007378.tif 000005
【図４】
2015007378.tif 000006
【図５】
2015007378.tif 000007
【図６】
2015007378.tif 000008
【図７】
2015007378.tif 000009
【図８】
2015007378.tif 000010